(57)【要約】【課題】本体と一体に形成された緩衝材の緩衝機能をより良く維持できる包装用箱を提供する。【解決手段】包装用箱は、方形状の第１側板１１、第２側板１２、第３側板１３、及び第４側板１４と、方形状の第１内板２１、第２内板２２、第３内板２３、及び第４内板２４とを備える。第１側板１１、第２側板１２、第３側板１３、第４側板１４は、第１筒体３１を形成する。第１内板２１、第２内板２２、第３内板２３、第４内板２４は、第１筒体３１の内部において第２筒体３２を形成する。第１内板２１は、第１側板１１と重なり合う。第３内板２３は、第１内板２１に対向しており、少なくとも１つの舌片４０を四辺の内側に有する。少なくとも１つの舌片４０は、基端側部４１、中間部４２、先端側部４３を有し、先端側部４３は、第１内板２１に接合される。【選択図】図１
2019151366.tif 000002
【特許請求の範囲】
【請求項１】
第１折目、第２折目、及び第３折目を介して第１方向に順次連設され、第１筒体を形成する、方形状の第１側板、第２側板、第３側板、及び第４側板と、
前記第４側板から、第４折目、第５折目、第６折目、及び第７折目を介して前記第１方向に順次連設され、前記第１筒体の内部において第２筒体を形成する、方形状の第１内板、第２内板、第３内板、及び第４内板とを備え、
前記第１内板は、前記第１側板と重なり合い、
前記第３内板は、前記第１内板に対向しており、少なくとも１つの舌片を四辺の内側に有し、
前記少なくとも１つの舌片は、基端側部、前記基端側部に第８折目を介して連設される中間部、前記中間部に第９折目を介して連設される先端側部を有し、
前記第８折目は、前記先端側部が、前記第１内板に近づく側に折り曲げられ、
前記第９折目は、前記８折目とは反対側に折り曲げられ、
前記先端側部は、前記第１内板に接合される包装用箱。
【請求項２】
前記先端側部が前記第１内板に接合されているときに、前記第９折目は、前記第８折目を前記第１内板に投影した線分より前記舌片が延びる第２方向に位置する請求項１記載の包装用箱。
【請求項３】
前記少なくとも１つの舌片は、前記第１方向に沿った第２方向に延びている請求項１又は請求項２に記載の包装用箱。
【発明の詳細な説明】
【技術分野】
【０００１】
本発明は、包装用箱に関し、特に、本体と一体に形成された緩衝材を含む包装用箱に関するものである。
【背景技術】
【０００２】
本体と一体に形成された緩衝材を含む包装用箱として、特許文献１には、包装用箱の内部に内板が配設される包装用箱が記載されている。内板は、包装用箱の側板に平行であり、舌片を有する。舌片は、切込線によって側板における四辺の内側に形成されており、基端側部と先端側部とを有する。基端側部は、側板に対して垂直になるように舌片の基端に形成される折目において折り曲げられる。先端側部は、側板の内側面に沿うように、基端側部の先端に形成された折目において折り曲げられ、側板に糊付けされる。以上のように、舌片の基端側部が側板と内板との間に垂直に配されることによって、当該舌片は緩衝材として機能する。
【先行技術文献】
【特許文献】
【０００３】
【特許文献１】特開平１０−１５２１３１号公報
【発明の概要】
【発明が解決しようとする課題】
【０００４】
しかしながら、特許文献１に記載の包装用箱においては、収容物に大きな衝撃が加わると、舌片が座屈することがある。舌片が座屈すると、再度衝撃が加わったときに、当該舌片は緩衝材として機能しなくなる。
【０００５】
本発明は上記課題に鑑みてなされたものであり、その目的は、本体と一体に形成された緩衝材の緩衝機能をより良く維持できる包装用箱を提供することにある。
【課題を解決するための手段】
【０００６】
本願に開示する包装用箱は、方形状の第１側板（１１）、第２側板（１２）、第３側板（１３）、及び第４側板（１４）と、方形状の第１内板（２１）、第２内板（２２）、第３内板（２３，２３Ａ）、及び第４内板（２４）とを備える。前記第１側板（１１）、前記第２側板（１２）、前記第３側板（１３）、前記第４側板（１４）は、第１折目（Ｐ１）、第２折目（Ｐ２）、及び第３折目（Ｐ３）を介して第１方向（Ｘ１）に順次連設され、第１筒体（３１）を形成する。前記第１内板（２１）、前記第２内板（２２）、前記第３内板（２３，２３Ａ）、前記第４内板（２４）は、前記第４側板から、第４折目（Ｐ４）、第５折目（Ｐ５）、第６折目（Ｐ６）、及び第７折目（Ｐ７）を介して前記第１方向（Ｘ１）に順次連設され、前記第１筒体（３１）の内部において第２筒体（３２）を形成する。前記第１内板（２１）は、前記第１側板（１１）と重なり合い、前記第３内板（２３，２３Ａ）は、前記第１内板（２１）に対向しており、少なくとも１つの舌片（４０，４０Ａ）を四辺の内側に有する。前記少なくとも１つの舌片（４０，４０Ａ）は、基端側部（４１，４１Ａ）、中間部（４２，４２Ａ）、及び先端側部（４３，４３Ａ）を有する。前記中間部（４２，４２Ａ）は、前記基端側部（４１，４１Ａ）に第８折目（Ｐ８）を介して連設される。前記先端側部（４３，４３Ａ）は、前記中間部（４２，４２Ａ）に第９折目（Ｐ９）を介して連設される。前記第８折目（Ｐ８）は、前記先端側部（４３，４３Ａ）が、前記第１内板（２１）に近づく側に折り曲げられ、前記第９折目（Ｐ９）は、前記８折目（Ｐ８）とは反対側に折り曲げられる。前記先端側部（４３，４３Ａ）は、前記第１内板（２１）に接合される。
【０００７】
本願に開示する包装用箱において、前記先端側部（４３，４３Ａ）が前記第１内板（２１）に接合されているときに、前記第９折目（Ｐ９）は、前記第８折目（Ｐ８）を前記第１内板（２１）に投影した線分（Ｌ１）より前記舌片（４０，４０Ａ）が延びる第２方向（Ｘ２）に位置する。
【０００８】
また、本願に開示する包装用箱において、前記少なくとも１つの舌片（４０，４０Ａ）は、前記第１方向（Ｘ１）に沿った第２方向（Ｘ２）に延びている。
【発明の効果】
【０００９】
本発明の包装用箱によれば、方形状の第３内板が、少なくとも１つの舌片を四辺の内側に有する。少なくとも１つの舌片は、基端側部、中間部、及び先端側部を有する。中間部は、基端側部に第８折目を介して連設され、先端側部は、中間部に第９折目を介して連設される。第８折目は、先端側部が第１内板に近づく側に折り曲げられ、第９折目は、第８折目とは反対側に折り曲げられ、先端側部は、第１内板に接合される。以上により、中間部は、第１内板及び第３内板と交差する方向に配設され、基端側部は当該舌片の基端に沿った基端線を中心軸として揺動可能である。従って、収容物に大きな衝撃が加わったときに、基端側部が揺動することによって、中間部が座屈することを防止でき、本体と一体に形成された緩衝材の緩衝機能をより良く維持できる。
【図面の簡単な説明】
【００１０】
【図１】本発明の実施形態１に係る包装用箱を示す展開図である。
【図２】本発明の実施形態１に係る包装用箱を示す透視斜視図である。
【図３】本発明の実施形態１に係る舌片を示す断面図である。
【図４】本発明の実施形態２に係る包装用箱を示す展開図である。
【図５】本発明の実施形態２に係る包装用箱を示す透視斜視図である。
【発明を実施するための形態】
【００１１】
以下、本発明に係る包装用箱に関する実施の形態について、添付の図面に基づいて詳しく説明する。なお、以下に説明する各実施形態は、本発明を実施するに好ましい具体例であるから、技術的に種々の限定がなされているが、本発明は、以下の説明において特に発明を限定する旨が明記されていない限り、この形態に限定されるものではない。そして、説明中の「外側面」とは、第１筒体を形成する各側板において、第１筒体の外側に向く面をいい、各側板以外の板材においては、包装用箱の素材シートにおいて、各側板の外側面と同じ側にある面をいう。また、「内側面」は「外側面」の反対面をいう。また、上下方向、左右方向は、図１、図４における上下方向、左右方向に対応している。
【００１２】
［実施形態１］
以下、図１、図２を参照して、本発明の実施形態１を説明する。図１は、本発明の実施形態１に係る包装用箱を示す展開図である。図２は、本発明の実施形態１に係る包装用箱を示す透視斜視図である。図１においては、各側板の外側面が紙面手前側を向いている。
【００１３】
実施形態１に係る包装用箱は、図１、図２に示すように、方形状の第１側板１１、第２側板１２、第３側板１３、及び第４側板１４と、方形状の第１内板２１、第２内板２２、第３内板２３、及び第４内板２４とを備える。第１側板１１、第２側板１２、第３側板１３、第４側板１４は、第１折目Ｐ１、第２折目Ｐ２、及び第３折目Ｐ３を介して第１方向Ｘ１に順次連設される。図２に示すように、第１側板１１、第２側板１２、第３側板１３、第４側板１４は、第１筒体３１を形成する。第１筒体３１は、角筒状である。
【００１４】
第１内板２１、第２内板２２、第３内板２３、第４内板２４は、図１に示すように、第４側板１４から、第４折目Ｐ４、第５折目Ｐ５、第６折目Ｐ６、及び第７折目Ｐ７を介して第１方向Ｘ１に順次連設される。図２に示すように、第１内板２１、第２内板２２、第３内板２３、第４内板２４は、第１筒体３１の内部において第２筒体３２を形成する。第２筒体３２は、平たい角筒状である。第１筒体３１の内部空間のうち第２筒体３２を除いた空間が、収容物を収容する収容空間である。第１筒体３１と第２筒体３２とが形成されているとき、第１内板２１は、第１側板１１と重なり合い、第３内板２３は、第１内板２１と対向する。実施形態においては、第３内板２３と第１内板２１とは平行である。
【００１５】
図１、図２に示すように、第３内板２３は、少なくとも１つの舌片４０を四辺の内側に有する。実施形態１においては、少なくとも１つの舌片４０の個数は１つである。少なくとも１つの舌片４０は、Ｕ字状の切込線４４を第３内板２３に形成することによって、第３内板２３に形成される。切込線４４の両端を結ぶ線分が、基端線Ｌ２である。また、少なくとも１つの舌片４０は、基端側部４１、中間部４２、先端側部４３を有する。実施形態においては、基端側部４１、中間部４２、先端側部４３は、方形状である。中間部４２は、基端側部４１に第８折目Ｐ８を介して連設される。先端側部４３は、中間部４２に第９折目Ｐ９を介して連設される。
【００１６】
図２に示すように、第８折目Ｐ８は、先端側部４３が、第１内板２１に近づく側、及び遠ざかる側のうち近づく側に折り曲げられる。第９折目Ｐ９は、第８折目Ｐ８とは反対側に折り曲げられる。先端側部４３は、第１内板２１に接合される。具体的には、先端側部４３の内側面が、第１内板２１の内側面に糊付けされる。
【００１７】
第１側板１１は、実施形態においては、図１に示すように、第１方向Ｘ１に対して垂直な方向に長い長方形状であり、長辺方向の両端に方形状の第１蓋板５１と第２蓋板５２とがそれぞれ折目を介して連設される。第１蓋板５１及び第２蓋板５２における第１側板１１に連設される側と反対側の辺には、第１差込片５３と第２差込片５４とがそれぞれ折目を介して連設される。第１蓋板５１、第２蓋板５２は、第１筒体３１の両端開口を塞ぐ。第１差込片５３、第２差込片５４は、第１筒体３１の内部に差し込まれる。第１差込片５３、第２差込片５４の外側面は、第３側板１３の内側面に糊付けすることができるが、糊付けしなくてもよい。
【００１８】
また、実施形態においては、第１側板１１の長辺方向の一端側に、台形状の破断線５５が形成される。また、台形状の破断線５５における頂部に隣接するように、第１側板１１には、指孔５６が穿設されている。例えば、指孔５６の上辺から爪先を第１側板１１の内側に差し込み、破断線５５を破断することによって、第１蓋板５１を開けることができる。
【００１９】
第２側板１２は、実施形態においては、図１に示すように、第１方向Ｘ１に対して垂直な方向に長い長方形状である。第２側板１２の長辺方向の両端には、台形状の第１フラップ片５７と第２フラップ片５８とがそれぞれ折目を介して連設される。第３側板１３は、第１方向Ｘ１に対して垂直な方向に長い長方形状であり、実施形態においては、第１側板１１と等しい縦横の長さを有する。
【００２０】
第４側板１４は、第１方向Ｘ１に対して垂直な方向に長い長方形状であり、実施形態においては、第２側板１２と等しい縦横の長さを有する。また、第４側板１４の長辺方向の両端には、台形状の第３フラップ片５９と第４フラップ片６０とがそれぞれ折目を介して連設される。
【００２１】
第１内板２１は、図１に示すように、第１方向Ｘ１に対して垂直な方向に長い長方形状である。第１内板２１の長辺方向の長さは、第１側板１１の長辺方向の長さ以下であり、第１内板２１の短辺方向の長さは、第１側板１１の短辺方向の長さ未満である。第１内板２１の短辺方向の長さが第１側板１１の短辺方向の長さ未満であるのは、第２筒体３２が第１筒体３１の内部に形成されるからである。すなわち、少なくとも包装用箱を形成する素材シートの厚みの分だけ、第１内板２１の短辺方向の長さは、第１側板１１の短辺方向の長さより短くされる。なお、実施形態においては、第１内板２１は、第１側板１１とほぼ等しい縦横の長さを有する。また、第１内板２１の長辺方向の一端部には、適宜形状の切欠きＱ１を設けることができる。第２内板２２は、図１に示すように、第１方向Ｘ１に対して垂直な方向に細長い長方形状である。
【００２２】
第３内板２３は、図１に示すように、第１方向Ｘ１に対して垂直な方向に長い長方形状である。実施形態においては、第３内板２３の長辺方向の長さは、第１内板２１の長辺方向の長さと等しい。また、第３内板２３の短辺方向の長さも、第１内板２１の短辺方向の長さと等しい。また、第３内板２３の長辺方向の一端部にも、切欠きＱ１と同じ形状の切欠きＱ２を設けることができる。
【００２３】
第４内板２４は、図１に示すように、第１方向Ｘ１に対して垂直な方向に細長い長方形状の部分と、当該長方形状の部分から第１方向Ｘ１の反対方向に突出する、少なくとも１つの突出部２４ａとを有する。少なくとも１つの突出部２４ａの形状は、特に限定されないが、実施形態においては半円状である。なお、突出部２４ａは、台形状、三角形状、四角形状、５角形以上の多角形状、星形状、雲形状など、適宜形状に形成できる。また、第１内板２１、第２内板２２、第３内板２３、第４内板２４が第２筒体３２を形成するとき、少なくとも１つの突出部２４ａにおける外側面が第４側板１４の内側面に糊付けされる。
【００２４】
［舌片４０］
次に、図３を参照して、舌片４０を更に詳しく説明する。図３は、本発明の実施形態１に係る舌片を示す断面図である。図３に示すように、先端側部４３が第１内板２１に接合されているときに、第９折目Ｐ９は、第８折目Ｐ８を第１内板２１に投影した線分Ｌ１より舌片４０が延びる第２方向Ｘ２に位置している。換言すれば、先端側部４３が第１内板２１に接合されているとき、中間部４２が、第３内板２３に対して折り曲げられる角度α１は、直角よりも小さくなっている。つまり、α１＜９０°である。また、基端側部４１は、当該舌片４０の基端線Ｌ２において片持ち支持されており、基端線Ｌ２を中心軸として揺動可能である。
【００２５】
また、少なくとも１つの舌片４０は、実施形態においては、第１方向Ｘ１に沿った第２方向Ｘ２に延びている。第２方向Ｘ２は、第１方向Ｘ１と同じ方向であってもよいし、第１方向Ｘ１の反対方向であってもよい。また、第２方向Ｘ２は、第１方向Ｘ１と直角よりも小さい角度で交差する方向であってもよいし、第１方向Ｘ１と直角よりも大きい角度で交差する方向であってもよい。
【００２６】
舌片４０の第２方向Ｘ２の長さは、実施形態においては、第３内板２３の第１方向Ｘ１の長さ以下に設定される。また、先端側部４３の第２方向Ｘ２の長さは、先端側部４３の内側面を第１内板２１の内側面に糊付けする作業の容易性と、必要十分な糊付け強度を得るという観点から決められる。中間部４２の第２方向Ｘ２の長さは、第１内板２１に対して垂直な方向における中間部４２の長さを適切な長さにするという観点から決められる。すなわち、収容物のサイズ、重量を考慮して、必要十分な緩衝効果が得られるように、第１内板２１に対して垂直な方向における中間部４２の長さが決められ、第２方向Ｘ２の長さが決められる。
【００２７】
また、基端側部４１の第２方向Ｘ２の長さＤ１も、主に、収容物のサイズ、重量を考慮して、必要十分な緩衝効果が得られるようにするという観点から決められる。すなわち、基端側部４１は、基端線Ｌ２において片持ち支持されており、長さＤ１が短いほど収容物に衝撃が加わったときに基端側部４１から中間部４２に加わる反力は大きくなる。従って、長さＤ１が短いほど、より大きな緩衝効果を発揮する反面、長さＤ１が短すぎれば、中間部４２が座屈しやすくなる。以上により、長さＤ１は、例えば、５〜１５ｍｍであることが好ましく、６〜１３ｍｍであることがより好ましく、８〜１０ｍｍであることが更に好ましい。しかしながら、長さＤ１は、最終的には、第３内板２３の第１方向Ｘ１の長さ、舌片４０の第２方向Ｘ２の長さ、先端側部４３の第２方向Ｘ２の長さ、中間部４２の第２方向Ｘ２の長さとの関係性において決められる。
【００２８】
以上、図１〜図３を参照して説明したように、本実施形態によれば、第３内板２３が、少なくとも１つの舌片４０を四辺の内側に有する。少なくとも１つの舌片４０は、基端側部４１、中間部４２、及び先端側部４３を有する。中間部４２は、基端側部４１に第８折目Ｐ８を介して連設され、先端側部４３は、中間部４２に第９折目Ｐ９を介して連設される。第８折目Ｐ８は、先端側部４３が第１内板２１に近づく側に折り曲げられ、第９折目Ｐ９は、第８折目Ｐ８とは反対側に折り曲げられ、先端側部４３は、第１内板２１に接合される。以上により、中間部４２は、第１内板２１及び第３内板２３と交差する方向に配設され、基端側部４１は当該舌片４０の基端線Ｌ２を中心として揺動可能である。従って、収容物に大きな衝撃が加わったときに、基端側部４１の揺動によって、中間部４２が座屈することを防止でき、本体と一体に形成された緩衝材の緩衝機能をより良く維持、持続できる。
【００２９】
また、図３を参照して説明したように、本実施形態によれば、先端側部４３が第１内板２１に接合されているときに、第９折目Ｐ９は、第８折目Ｐ８を第１内板２１に投影した線分Ｌ１より舌片４０が延びる第２方向Ｘ２に位置している。換言すれば、先端側部４３が第１内板２１に接合されているときに、中間部４２は第１内板２１と直角に交差せず、中間部４２が、第３内板２３に対して折り曲げられる角度α１は、直角より小さくなっている。従って、収容物に大きな衝撃が加わったときに、全ての荷重を第１内板２１に垂直な方向で受けることなく、第１内板２１に沿った方向に逃がすことができ、より有効に中間部４２が座屈することを防止でき、本体と一体に形成された緩衝材の緩衝機能を更により良く維持、持続できる。
【００３０】
また、図１、図２を参照して説明したように、本実施形態によれば、少なくとも１つの舌片４０は、第１方向Ｘ１に沿った第２方向Ｘ２に延びている。従って、包装用箱から収容物を全て取り出した後、第１筒体３１の両端開口が菱形になるように包装用箱を折り畳むときに、舌片４０の存在が障害とならず、包装用箱を容易に折り畳むことができ、包装用箱の廃棄を容易にすることができる。
【００３１】
また、図３を参照して説明したように、本実施形態によれば、基端側部４１の第２方向Ｘ２の長さＤ１は、好ましくは５〜１５ｍｍである。長さＤ１が１５ｍｍ以下であることによって、収容物に対する衝撃を有効に緩衝できる適切な強度で中間部４２を基端側部４１によって支持させることができる。一方、長さＤ１が５ｍｍ以上であることによって、中間部４２が座屈しない適切な強度で中間部４２を基端側部４１によって支持させることができる。
【００３２】
［実施形態２］
次に、図４、図５を参照して、本発明の実施形態２を説明する。図４は、本発明の実施形態２に係る包装用箱を示す展開図である。図５は、本発明の実施形態２に係る包装用箱を示す透視斜視図である。図４においては、各側板の外側面が紙面手前側に向いている。実施形態２に係る包装用箱は、実施形態１に係る包装用箱と比較して、舌片４０Ａの個数が３つである点で相違する。以下、実施形態２が実施形態１と相違する点を主に説明し、実施形態１と重複する部分の説明は割愛する。
【００３３】
実施形態２に係る包装用箱は、図４、図５に示すように、第３内板２３Ａが、３つの舌片４０Ａを四辺の内側に有する。３つの舌片４０Ａは、基端側部４１Ａ、中間部４２Ａ、先端側部４３Ａをそれぞれ有する。実施形態においては、基端側部４１Ａ、中間部４２Ａ、先端側部４３Ａは、方形状である。中間部４２Ａは、基端側部４１Ａに第８折目Ｐ８を介して連設される。先端側部４３Ａは、中間部４２Ａに第９折目Ｐ９を介して連設される。また、実施形態においては、３つの舌片４０Ａは、第３内板２３Ａの長辺方向に並んでいる。
【００３４】
また、図３を参照して説明した実施形態１に係る舌片４０と同様に、実施形態２に係る舌片４０Ａにおいても、先端側部４３Ａが第１内板２１に接合されているとき、第９折目Ｐ９は、第８折目Ｐ８を第１内板２１に投影した線分Ｌ１より舌片４０Ａが延びる第２方向Ｘ２に位置する。また、基端側部４１Ａは、当該舌片４０Ａの基端線Ｌ２において片持ち支持されており、基端線Ｌ２を中心軸として揺動可能である。また、３つの舌片４０Ａは、第１方向Ｘ１に沿った第２方向Ｘ２に延びている。また、基端側部４１Ａの第２方向Ｘ２の長さは、図３における長さＤ１と同様に、５〜１５ｍｍであることが好ましく、６〜１３ｍｍであることがより好ましく、８〜１０ｍｍであることがさらに好ましい。
【００３５】
以上、図４、図５を参照して説明したように、本実施形態によれば、第３内板２３Ａが、３つの舌片４０Ａを四辺の内側に有する。従って、収容物の重量が比較的に大きいときにも、本体と一体に形成された緩衝材の緩衝機能をより良く維持、持続できる。また、収容物のサイズが比較的に大きいときにも、３つの舌片４０Ａを第３内板２３Ａにおいて適切な位置に形成することによって、本体と一体に形成された緩衝材の緩衝機能をより良く維持、持続できる。
【００３６】
以上、図面（図１〜図５）を参照しながら本発明の実施形態を説明した。但し、本発明は、上記の実施形態に限られるものではなく、その要旨を逸脱しない範囲で種々の態様において実施することが可能である（例えば、下記に示す（１））。
【００３７】
（１）図１〜図５を参照して説明したように、上記実施形態では、舌片の個数は、１つ又は３つであるが、これに限らず、舌片の個数は、包装用箱のサイズ、収容物の重量などに応じて適切な個数にすることができる。例えば、舌片の個数は、２つでもよい。あるいは、舌片の個数は、４つ以上であってもよい。このように、舌片を１個及び複数個設けることができる。また、実施形態においては、複数の舌片４０Ａは、第３内板２３Ａの長辺方向、つまり第１方向Ｘ１に対して垂直な方向に並んでいるが、第３内板２３Ａの長辺方向が第１方向Ｘ１に平行であるとき、複数の舌片４０Ａは、長辺方向である第１方向Ｘ１に並んでもよい。あるいは、複数の舌片４０Ａは、一列に並ぶ必要はなくジグザグに並んでもよく、長辺方向に対して斜めに並んでもよい。
【符号の説明】
【００３８】
Ｘ１…第１方向
Ｘ２…第２方向
Ｌ１…線分
Ｐ１…第１折目
Ｐ２…第２折目
Ｐ３…第３折目
Ｐ４…第４折目
Ｐ５…第５折目
Ｐ６…第６折目
Ｐ７…第７折目
Ｐ８…第８折目
Ｐ９…第９折目
１１…第１側板
１２…第２側板
１３…第３側板
１４…第４側板
２１…第１内板
２２…第２内板
２３、２３Ａ…第３内板
２４…第４内板
３１…第１筒体
３２…第２筒体
４０、４０Ａ…舌片
４１、４１Ａ…基端側部
４２、４２Ａ…中間部
４３、４３Ａ…先端側部
【図１】
2019151366.tif 000003
【図２】
2019151366.tif 000004
【図３】
2019151366.tif 000005
【図４】
2019151366.tif 000006
【図５】
2019151366.tif 000007